(57)【要約】【課題】照明手段を点灯させるための操作が不要となり、使い勝手を向上させることができる炊飯器を得る。【解決手段】内部に内釜４が収容される炊飯器本体１と、後端部がヒンジ部１４を介して炊飯器本体１に装着され、炊飯器本体１の上部を開閉自在に覆う蓋体１３と、蓋体１３の内面に設けられ、炊飯器本体１に収納された内釜４の内部を照明する照明手段２０と、蓋体１３の開閉を検知する蓋体開閉検知手段２４とを備え、蓋体開閉検知手段２４の検知状態に応じて、照明手段２０を点灯又は消灯させるものである。【選択図】図１
2011000314.tif 000002
【特許請求の範囲】
【請求項１】
上部が開口し、内部に内釜が収容される炊飯器本体と、
後端部がヒンジ部を介して前記炊飯器本体に装着され、該炊飯器本体の上部を開閉自在に覆う蓋体と、
前記蓋体の内面に設けられ、前記炊飯器本体に収納された前記内釜の内部を照明する照明手段と、
前記蓋体の開閉を検知する蓋体開閉検知手段と
を備え、
前記蓋体開閉検知手段の検知状態に応じて、前記照明手段を点灯又は消灯させる
ことを特徴とする炊飯器。
【請求項２】
前記蓋体開閉検知手段は、
前記蓋体が、前記炊飯器本体に対して一定角度以上に開放されたとき、該蓋体の開状態を検知する
ことを特徴とする請求項１記載の炊飯器。
【請求項３】
前記照明手段は、前記蓋体の先端部に設けた
ことを特徴とする請求項１又は２記載の炊飯器。
【請求項４】
前記蓋体は、当該蓋体が前記炊飯器本体の上部を閉塞したときに前記内釜の開口を閉塞する内蓋を有し、
前記照明手段は、前記蓋体の内面のうち、前記内蓋以外の部分に設けた
ことを特徴とする請求項１〜３の何れかに記載の炊飯器。
【請求項５】
周囲の明るさを検知する光検出手段を備え、
前記蓋体開閉検知手段により前記蓋体の開状態が検知され、且つ、前記光検出手段により検出された明るさが所定値以下のとき、前記照明手段を点灯させる
ことを特徴とする請求項１〜４の何れかに記載の炊飯器。
【請求項６】
現在時刻を検出する時刻検出手段を備え、
前記蓋体開閉検知手段により前記蓋体の開状態が検知され、且つ、前記時刻検出手段により検出された現在時刻が所定の時間帯に属するとき、前記照明手段を点灯させる
ことを特徴とする請求項１〜５の何れかに記載の炊飯器。
【発明の詳細な説明】
【技術分野】
【０００１】
この発明は、内釜の内部を照明する炊飯器に関する。
【背景技術】
【０００２】
従来の炊飯器においては、例えば、「内部に炊飯量に対応する水位線等を設けて水と米とを入れてご飯を炊く釜と、該釜を収容して加熱する加熱手段を設けた本体と、該本体の一端に設けられたヒンジ機構により開閉可能に連結された他端の掛金機構を係止して本体の上面を覆う蓋体とを備えたジャー炊飯器において、前記本体に収容された釜の内部を照明するランプを設けた」ものが提案されている（例えば、特許文献１参照）。
【先行技術文献】
【特許文献】
【０００３】
【特許文献１】特開平４−３３８４１７号公報（請求項１）
【発明の概要】
【発明が解決しようとする課題】
【０００４】
従来の技術では、釜の内部を照明するランプを、操作部のスイッチ操作により点灯又は消灯させている。このため、使用者はランプを点灯又は消灯させるためにスイッチ操作を行う必要があり、操作が煩わしく使い勝手が悪い、という問題点があった。
【０００５】
また、スイッチの操作によりランプを消灯させるため、使用者がランプを消灯し忘れて蓋体が閉じられると、ランプが点灯した状態で、炊飯を開始してしまう、という問題点があった。このような場合、不要な電力が消費されることとなる。
【０００６】
また、従来の技術では、内釜を閉塞する内蓋に、ランプを設けている。このため、蓋体により本体を閉塞した際、内蓋により閉塞された内釜内（炊飯室）に、ランプが配置されることとなる。このため、炊飯中にランプが高熱、高湿環境に曝されることとなり、ランプの故障や耐久性が低減する、という問題点があった。
また、炊飯室内にランプを配置する場合、高熱や高湿環境に耐え得るように、例えばランプケースや窓カバーのような保護部材等を設ける必要があり、部品点数増加によるコストアップや製作作業性が低減する、という問題点があった。
【０００７】
この発明は、上記のような課題を解決するためになされたもので、照明手段を点灯させるための操作が不要となり、使い勝手を向上させることができる炊飯器を得るものである。
【課題を解決するための手段】
【０００８】
この発明に係る炊飯器は、
上部が開口し、内部に内釜が収容される炊飯器本体と、
後端部がヒンジ部を介して炊飯器本体に装着され、該炊飯器本体の上部を開閉自在に覆う蓋体と、
蓋体の内面に設けられ、炊飯器本体に収納された内釜の内部を照明する照明手段と、
蓋体の開閉を検知する蓋体開閉検知手段と
を備え、
蓋体開閉検知手段の検知状態に応じて、照明手段を点灯又は消灯させる
ものである。
【発明の効果】
【０００９】
この発明は、蓋体開閉検知手段の検知状態に応じて、照明手段を点灯又は消灯させることにより、照明手段を点灯又は消灯させるための操作が不要となり、使い勝手を向上させることができる。
【図面の簡単な説明】
【００１０】
【図１】本発明の実施の形態１に係る炊飯器の側断面図である。
【図２】本発明の実施の形態１に係る炊飯器の外観を示す斜視図である。
【図３】本発明の実施の形態１に係る炊飯器の制御ブロック図である。
【図４】本発明の実施の形態２に係る炊飯器の制御ブロック図である。
【図５】本発明の実施の形態２に係る炊飯器の動作を示すフローチャートである。
【図６】本発明の実施の形態３に係る炊飯器の制御ブロック図である。
【図７】本発明の実施の形態３に係る炊飯器の動作を示すフローチャートである。
【図８】本発明の実施の形態４に係る炊飯器の制御ブロック図である。
【図９】本発明の実施の形態４に係る炊飯器の動作を示すフローチャートである。
【発明を実施するための形態】
【００１１】
実施の形態１．
［構成］
図１は本発明の実施の形態１に係る炊飯器の側断面図である。
図２は本発明の実施の形態１に係る炊飯器の外観を示す斜視図である。
図１及び図２において、本実施の形態における炊飯器は、上部が開口し、内部に内釜４が収容される炊飯器本体１と、後端部がヒンジ部１４を介して炊飯器本体１に装着され、炊飯器本体１の上部を開閉自在に覆う蓋体１３と、蓋体１３の内面に設けられ、炊飯器本体１に収納された内釜４の内部を照明する照明手段２０と、蓋体１３の開閉を検知する蓋体開閉検知手段２４とを備えている。
【００１２】
炊飯器本体１は、側面ケース１ａと下ケース１ｂとからなる。炊飯器本体１の内側には炊飯器本体１と一体に形成された内遮熱板２が設けられる。内遮熱板２の外周には炊飯時及び保温時に通電されて発熱する胴ヒータ３が密着して取り付けられている。
【００１３】
炊飯器本体１内には、上端部にフランジ４ａを有する内釜４が収容される。内釜４には、米、水等が入れられ炊飯される。
また、内釜４の底部から側部の一部にかけて合成樹脂性のコイル台５が設けられている。コイル台５の外面には、通電により交番磁界を発生し、内釜４を誘導加熱する電磁誘導コイルからなる加熱手段６が取り付けられている。コイル台５の上部は内遮熱板２に当接して内釜収容部を構成している。
なお、本実施の形態では、電磁誘導コイルにより誘導加熱する場合を説明するが、本発明はこれに限るものではない。例えば加熱手段６として電熱装置を使用しても良い。
【００１４】
炊飯器本体１内には、さらに、制御手段３０（後述）を備える制御基板９、商用電力を供給するためのコードリール１０が設けられている。また、炊飯器本体１の前側には、操作基板１１を内蔵する操作部１２が設けられている。
【００１５】
炊飯器本体１には、蓋体１３がヒンジ部１４によって開閉自在に装着されており、ヒンジばねにより、常時、開放側に付勢されている。
蓋体１３は、上蓋１５と下蓋１６とから構成されている。上蓋１５には、おねば容器１７が着脱自在に装着されている。
下蓋１６には、炊飯器本体１の上部を閉塞したときに内釜４の開口を閉塞する内蓋１８が着脱自在に装着されている。
内蓋１８は、蓋体１３を閉じたときに内釜４のフランジ４ａに圧着して内釜４の開口部をシールする蓋パッキン１８ａが装着されている。
【００１６】
下蓋１６の先端部（ヒンジ部１４と反対側）は、上蓋１５と反対側に折り曲げた折曲部１６ａと水平部とからなるほぼＬ字状をなしている。また、下蓋１６には、係止部１６ｂが設けられている。
下蓋１６の先端部は、蓋体１３を閉じたとき、炊飯器本体１の嵌合凹部１６ｃに嵌合し、炊飯器本体１に設けられたラッチ機構により係止部１６ｂが係止され、蓋体１３を閉じた状態でロックされる。
これにより、内蓋１８に設けた蓋パッキン１８ａは、内釜４のフランジ４ａに密着して内釜４の開口部を確実にシールする。
【００１７】
照明手段２０は、例えばＬＥＤランプにより構成される。この照明手段２０は、蓋体１３の先端部に設けられる。これにより、蓋体１３が開放されると、照明手段２０が蓋体１３の上方に位置することとなり、内釜４を広範囲に照明することが可能となる。
また、照明手段２０は、蓋体１３の内面となる下蓋１６のうち、内蓋１８以外の部分に設けられている。例えば、下蓋１６の先端部の折曲部１６ａに設けられる。これにより、蓋体１３を閉じたときに、内蓋１８により閉塞された内釜４（炊飯室）の外に照明手段２０が配置されることとなる。このため、照明手段２０が、炊飯による高熱、高湿環境に曝されることがない。
なお、照明光が内蓋１８に遮られるのを低減させるため、照明手段２０の設置位置は、極力、内蓋１８から離して設置するのが望ましい。
なお、照明手段２０の設置位置はこれに限るものではない。蓋体１３の形状、係止部１６ｂの位置等により適宜設定するようにしても良い。
【００１８】
炊飯器本体１のヒンジ部１４には、蓋体１３の開状態及び閉状態を検知する蓋体開閉検知手段２４が設けられている。
蓋体開閉検知手段２４は、蓋体１３が、炊飯器本体１に対して一定角度以上に開放されたとき、蓋体１３の開状態を検知する。
この蓋体開閉検知手段２４は、例えば、機械的な接点スイッチからなるマイクロスイッチにより構成される。
例えば、図１に示すように、蓋体開閉検知手段２４は、炊飯器本体１のヒンジ部１４の上部に設置される。そして、蓋体１３が一定角度以上開放されたとき、下蓋１６の下方(ヒンジ部１４側）に設けられた押下部２４ｂにより、蓋体開閉検知手段２４の接点が押下され、蓋体１３の開状態を検知する。また、蓋体１３が一定角度未満に閉塞されたとき、蓋体開閉検知手段２４の接点が開放され、蓋体１３の閉状態を検知する。
この開状態及び閉状態を検知する一定角度としては、任意の角度を設定することができる。例えば炊飯器本体１に対する蓋体１３の角度が略９０°に設定する。
【００１９】
なお、蓋体開閉検知手段２４の設置位置はこれに限るものではない。例えば、炊飯器本体１の嵌合凹部１６ｃに配置し、蓋体１３が閉じられたときに接点が押下されるようにしても良い。
【００２０】
なお、本実施の形態１では、蓋体開閉検知手段２４としてマイクロスイッチを使用する場合を説明するが、本発明はこれに限るものではなく、蓋体１３の開状態及び閉状態を検知できるものであれば良い。例えば、磁力によって動作するリードスイッチを炊飯器本体１に設け、蓋体１３側にマグネットを設けて、蓋体１３の開状態及び閉状態を検知するようにしても良い。
【００２１】
操作部１２は、操作パネルであり、ボタンなどによる入力操作を受け付けることで、炊飯、予約炊飯、保温などを実行、炊飯の種類の変更などの設定を制御手段３０に入力する。
また、設定状態や運転状態は、操作パネル上に設けられた表示手段１２ａに表示することで、使用者が状態を確認できる。
この表示手段１２ａとしては、例えば液晶パネルなどにより構成される。なお、これに限らず、発光素子による表示など他の手段を用いても良い。
【００２２】
図３は本発明の実施の形態１に係る炊飯器の制御ブロック図である。
図３において、制御手段３０は、マイコンなどにより構成される。制御手段３０は、操作部１２からの設定情報や図示しない温度センサ等からの検知情報が入力され、これらの情報に基づき、インバータ回路（図示せず）を駆動制御して、加熱手段６への通電を制御することで炊飯工程を実施する。
また、制御手段３０は、例えば炊飯工程に関する情報など、運転状態や設定状態の情報を表示手段１２ａに表示させる。
さらに、制御手段３０は、蓋体開閉検知手段２４の検知状態に応じて、照明手段２０への通電をオンオフして、照明手段２０を点灯又は消灯させる。
【００２３】
［動作］
次に、本実施の形態１における照明手段２０の点灯及び消灯動作を説明する。
蓋体１３が閉状態のとき、蓋体開閉検知手段２４のマイクロスイッチは押下されず、蓋体開閉検知手段２４は、蓋体１３の閉状態を検知する。
制御手段３０は、蓋体開閉検知手段２４の検知状態が閉状態のとき、照明手段２０への通電を遮断し、照明手段２０を消灯状態とする。
【００２４】
使用者の操作により、炊飯器本体１のラッチ機構が解除されて蓋体１３の係止が解除されると、蓋体１３は、ヒンジばねの付勢力により開放される。
そして、蓋体１３が略９０°まで開放されると、蓋体開閉検知手段２４のマイクロスイッチは、下蓋１６に設けられた押下部２４ｂにより押下されて、蓋体１３の開状態を検知する。
制御手段３０は、蓋体開閉検知手段２４の検知状態が開状態のとき、照明手段２０へ通電し、照明手段２０を点灯状態とする。
【００２５】
そして、使用者の操作により、再度、蓋体１３が閉じられると、蓋体開閉検知手段２４のマイクロスイッチは開放され、蓋体開閉検知手段２４は、蓋体１３の閉状態を検知する。
制御手段３０は、蓋体開閉検知手段２４の検知状態が閉状態のとき、照明手段２０への通電を遮断し、照明手段２０を消灯状態とする。
【００２６】
このように、蓋体１３の開状態及び閉状態に応じて、照明手段２０を点灯又は消灯とすることが可能となる。
【００２７】
［効果］
以上のように本実施の形態においては、蓋体開閉検知手段２４の検知状態に応じて、照明手段２０を点灯又は消灯させる。このため、使用者は照明手段２０を点灯又は消灯させるためにスイッチ操作等を行う必要がない。よって、煩わしい操作を行う必要がなくなり、使い勝手を向上させることができる。
特に、炊飯器の周囲が暗い場合など照明が必要となる場合に、照明点灯のためのスイッチ操作が不要であるので、この効果は顕著である。
また、蓋体１３が閉じられると照明手段２０が消灯されるので、使用者による消し忘れなどにより、不要な電力の消費を防止することができる。
【００２８】
また、蓋体開閉検知手段２４は、蓋体１３が、炊飯器本体１に対して一定角度以上に開放されたとき、蓋体１３の開状態を検知する。このため、内釜４に対する照明手段２０の照射角度が所望の角度となった状態で、照明手段２０を点灯させることが可能となる。したがって、例えば蓋体１３が半開き状態など、照明が必要がない状態で、照明手段２０を点灯させないようにすることができる。これにより、不要な電力の消費を防止することができる。
【００２９】
また、照明手段２０は、蓋体１３の先端部に設けたので、蓋体１３が開放されると、照明手段２０が蓋体１３の上方に位置することとなり、内釜４を広範囲に照明することが可能となる。
【００３０】
また、照明手段２０は、蓋体１３の内面のうち、内蓋１８以外の部分に設けたので、蓋体１３を閉じたときに、内蓋１８により閉塞された内釜４（炊飯室）の外に照明手段２０が配置されることとなる。このため、照明手段２０が、炊飯による高熱、高湿環境に曝されることがない。
これにより、照明手段２０の故障発生を低減し、耐久性を向上させることができる。また、高熱や高湿環境に耐え得るための、例えばランプケースや窓カバーのような保護部材等を設ける必要がなく、部品点数が減少し、コストダウンを図り、製作作業性を向上させることができる。
【００３１】
なお、本実施の形態１では、制御手段３０により、照明手段２０の通電を制御したが、これに限るものではない。例えば、蓋体開閉検知手段２４のマイクロスイッチにより、照明手段２０に供給する電力を直接オンオフするようにしても良い。
【００３２】
実施の形態２．
本実施の形態２では、蓋体１３の開閉状態と炊飯器周囲の明るさとに応じて、照明手段２０を点灯させる形態について説明する。
【００３３】
［構成］
図４は本発明の実施の形態２に係る炊飯器の制御ブロック図である。
図４に示すように、本実施の形態２に係る炊飯器は、上記実施の形態１の構成に加え、照度検知手段３１を備えている。
なお、その他の構成は、上記実施の形態１（図１〜図３）と同様であり、同一部分には同一の符号を付する。
【００３４】
照度検知手段３１は、例えば炊飯器本体１に配置される。この照度検知手段３１は、当該炊飯器が設置されている周囲の明るさを検出し、例えば、０ｌｘ（ｌｘ：ルクス）から１００ｌｘ以上の範囲で周囲の明るさに比例する電圧を出力する。
なお、「照度検知手段３１」は、本発明における「光検出手段」に相当する。
【００３５】
本実施の形態における制御手段３０は、照度検知手段３１からの電圧が入力される。
また、制御手段３０を構成するマイコンは、入力された電圧が、所定の明るさ（例えば３０ｌｘ）に相当する電圧以下であるか否かを比較するコンパレータを有する。そして、制御手段３０は、コンパレータの比較結果に基づいて、後述する動作により、照明手段２０のオンオフ制御を行う。
【００３６】
［動作］
図５は本発明の実施の形態２に係る炊飯器の動作を示すフローチャートである。
以下、本実施の形態２における照明手段２０の点灯及び消灯動作を、図５に基づき説明する。
【００３７】
（Ｓ１０１）
蓋体開閉検知手段２４は、上記実施の形態１と同様に、蓋体１３の開状態及び閉状態を検知する。
制御手段３０は、蓋体開閉検知手段２４の検知状態が開状態であるか否かを判断する。開状態でない場合は、ステップＳ１０４へ進む。
【００３８】
（Ｓ１０２）
一方、蓋体１３が開状態であると判断した場合、制御手段３０は、照度検知手段３１により検出された明るさが所定値以下であるか否かを判断する。この判断は、例えば、制御手段３０のコンパレータにより、照度検知手段３１の照度に応じた電圧値が、所定の明るさ（例えば３０ｌｘ）に相当する電圧値以下であるか否かを比較することにより行う。
制御手段３０は、周囲の明るさが所定の明るさ以下でない場合は、ステップＳ１０４へ進む。
【００３９】
（Ｓ１０３）
一方、周囲の明るさが所定の明るさ以下であると判断した場合、制御手段３０は、照明手段２０へ通電し、照明手段２０を点灯状態とする。
以降、上記ステップＳ１０１へ戻り、上記の動作を繰り返す。
【００４０】
（Ｓ１０４）
蓋体１３が開状態でない場合、又は周囲の明るさが所定の明るさ以下でない場合、制御手段３０は、照明手段２０への通電を遮断し、照明手段２０を消灯状態とする。
以降、上記ステップＳ１０１へ戻り、上記の動作を繰り返す。
【００４１】
このように、蓋体開閉検知手段２４により蓋体１３の開状態が検知され、且つ、照度検知手段３１により検出された明るさが所定値以下のとき、照明手段２０を点灯させることが可能となる。
【００４２】
［効果］
以上のように本実施の形態においては、周囲の明るさを検知する照度検知手段３１を備え、蓋体開閉検知手段２４により蓋体１３の開状態が検知され、且つ、照度検知手段３１により検出された明るさが所定値以下のとき、照明手段２０を点灯させる。このため、炊飯器の周囲が明るく照明が不要となる場合には、蓋体１３が開放状態であっても、照明手段２０を点灯させないようにすることができる。これにより、不要な電力の消費を防止することができる。
【００４３】
なお、本実施の形態では、周囲の明るさに応じて、照明手段２０の点灯又は消灯を行ったが、これに加えて、周囲の明るさに応じて、照明手段２０の照度を変えるようにしても良い。例えば、周囲の明るさの照度が低下するほど、照明手段２０の照度を上昇させるようにしても良い。これにより、さらに不要な電力の消費を防止することができる。
【００４４】
実施の形態３．
本実施の形態３では、蓋体１３の開閉状態と現在時刻とに応じて、照明手段２０を点灯させる形態について説明する。
【００４５】
図６は本発明の実施の形態３に係る炊飯器の制御ブロック図である。
図６に示すように、本実施の形態３に係る炊飯器は、上記実施の形態１の構成に加え、計時手段３２を備えている。
なお、その他の構成は、上記実施の形態１（図１〜図３）と同様であり、同一部分には同一の符号を付する。
【００４６】
計時手段３２は、現在時刻を検出し、当該現在時刻の情報を制御手段３０に入力する。この計時手段３２は、例えばＲＴＣ（Real Time Clock）などにより構成され、制御基板９に設けられる。
なお、「計時手段３２」は、本発明における「時刻検出手段」に相当する。
【００４７】
本実施の形態における制御手段３０は、計時手段３２から現在時刻の情報が入力される。
また、制御手段３０を構成するマイコンには、予め、照明が必要となる所定の時間帯の情報が記憶される。この照明が必要となる時間帯としては、夕方から翌朝までの時間帯、例えば、１８時〜６時の間を設定する。そして制御手段３０は、現在時刻と記憶した所定の時間帯との情報に基づいて、後述する動作により、照明手段２０のオンオフ制御を行う。
【００４８】
［動作］
図７は本発明の実施の形態３に係る炊飯器の動作を示すフローチャートである。
以下、本実施の形態３における照明手段２０の点灯及び消灯動作を、図７に基づき説明する。
【００４９】
（Ｓ２０１）
蓋体開閉検知手段２４は、上記実施の形態１と同様に、蓋体１３の開状態及び閉状態を検知する。
制御手段３０は、蓋体開閉検知手段２４の検知状態が開状態であるか否かを判断する。開状態でない場合は、ステップＳ２０４へ進む。
【００５０】
（Ｓ２０２）
一方、蓋体１３が開状態であると判断した場合、制御手段３０は、計時手段３２により検出された現在時刻が所定の時間帯に属するか否かを判断する。この判断は、例えば、制御手段３０に予め記憶した所定の時間帯（例えば１８時〜６時）に、計時手段３２からの現在時刻が含まれるか否かにより判断する。
制御手段３０は、現在時刻が所定の時間帯に属しない場合は、ステップＳ２０４へ進む。
【００５１】
（Ｓ２０３）
一方、現在時刻が所定の時間帯に属すると判断した場合、制御手段３０は、照明手段２０へ通電し、照明手段２０を点灯状態とする。
以降、上記ステップＳ２０１へ戻り、上記の動作を繰り返す。
【００５２】
（Ｓ２０４）
蓋体１３が開状態でない場合、又は現在時刻が所定の時間帯に属しない場合、制御手段３０は、照明手段２０への通電を遮断し、照明手段２０を消灯状態とする。
以降、上記ステップＳ２０１へ戻り、上記の動作を繰り返す。
【００５３】
このように、蓋体開閉検知手段２４により蓋体１３の開状態が検知され、且つ、計時手段３２により検出された現在時刻が所定の時間帯に属するとき、照明手段２０を点灯させることが可能となる。
【００５４】
［効果］
以上のように本実施の形態においては、現在時刻を検出する計時手段３２を備え、蓋体開閉検知手段２４により蓋体１３の開状態が検知され、且つ、計時手段３２により検出された現在時刻が所定の時間帯に属するとき、照明手段２０を点灯させる。このため、例えば日中の時間帯など、照明が不要と想定される時間帯には、蓋体１３が開放状態であっても、照明手段２０を点灯させないようにすることができる。これにより、不要な電力の消費を防止することができる。
【００５５】
なお、本実施の形態では、制御手段３０に所定の時間帯の情報を予め記憶させた場合を説明したが、これに限らず、当該所定の時間帯を変更可能にしても良い。また、計時手段３２により、現在の日付を検出し、日付に応じて所定の時間帯を変化させるようにしても良い。例えば、冬期の間には、所定の時間帯を１７時〜７時に設定し、夏期の間には、所定の時間帯を１９時〜５時に設定するようにしても良い。これにより、さらに不要な電力の消費を防止することができる。
【００５６】
実施の形態４．
本実施の形態４では、蓋体１３の開閉状態、炊飯器周囲の明るさ、及び現在時刻に応じて、照明手段２０を点灯させる形態について説明する。
【００５７】
［構成］
図８は本発明の実施の形態４に係る炊飯器の制御ブロック図である。
図８に示すように、本実施の形態４に係る炊飯器は、上記実施の形態１の構成に加え、上記実施の形態２における照度検知手段３１と、上記実施の形態３における計時手段３２とを備えている。
なお、その他の構成は、上記実施の形態１〜３と同様であり、同一部分には同一の符号を付する。
【００５８】
本実施の形態における制御手段３０は、照度検知手段３１からの電圧が入力される。また、制御手段３０は、計時手段３２から現在時刻の情報が入力される。
また、制御手段３０を構成するマイコンは、上記実施の形態２と同様に、入力された電圧が、所定の明るさに相当する電圧以下であるか否かを比較するコンパレータを有する。また、上記実施の形態３と同様に、予め、照明が必要となる所定の時間帯の情報が記憶される。
【００５９】
［動作］
図９は本発明の実施の形態４に係る炊飯器の動作を示すフローチャートである。
以下、本実施の形態４における照明手段２０の点灯及び消灯動作を、図９に基づき説明する。
【００６０】
（Ｓ３０１）
蓋体開閉検知手段２４は、上記実施の形態１と同様に、蓋体１３の開状態及び閉状態を検知する。
制御手段３０は、蓋体開閉検知手段２４の検知状態が開状態であるか否かを判断する。開状態でない場合は、ステップＳ３０５へ進む。
【００６１】
（Ｓ３０２）
一方、蓋体１３が開状態であると判断した場合、制御手段３０は、照度検知手段３１により検出された明るさが所定値以下であるか否かを判断する。この判断は、上記実施の形態２と同様の動作により行う。
制御手段３０は、周囲の明るさが所定の明るさ以下でない場合は、ステップＳ３０５へ進む。
【００６２】
（Ｓ３０３）
一方、周囲の明るさが所定の明るさ以下であると判断した場合、制御手段３０は、計時手段３２により検出された現在時刻が所定の時間帯に属するか否かを判断する。この判断は、上記実施の形態３と同様の動作により行う。
制御手段３０は、現在時刻が所定の時間帯に属しない場合は、ステップＳ３０５へ進む。
【００６３】
（Ｓ３０４）
一方、現在時刻が所定の時間帯に属すると判断した場合、制御手段３０は、照明手段２０へ通電し、照明手段２０を点灯状態とする。
以降、上記ステップＳ３０１へ戻り、上記の動作を繰り返す。
【００６４】
（Ｓ３０５）
蓋体１３が開状態でない場合、周囲の明るさが所定の明るさ以下でない場合、又は現在時刻が所定の時間帯に属しない場合、制御手段３０は、照明手段２０への通電を遮断し、照明手段２０を消灯状態とする。
以降、上記ステップＳ３０１へ戻り、上記の動作を繰り返す。
【００６５】
このように、蓋体開閉検知手段２４により蓋体１３の開状態が検知された場合であって、照度検知手段３１により検出された明るさが所定値以下、且つ計時手段３２により検出された現在時刻が所定の時間帯に属するとき、照明手段２０を点灯させることが可能となる。
【００６６】
［効果］
以上のように本実施の形態においては、蓋体開閉検知手段２４により蓋体１３の開状態が検知された場合であって、照度検知手段３１により検出された明るさが所定値以下、且つ計時手段３２により検出された現在時刻が所定の時間帯に属するとき、照明手段２０を点灯させる。このため、炊飯器の周囲が明るく照明が不要となる場合、又は例えば日中の時間帯など、照明が不要と想定される時間帯には、蓋体１３が開放状態であっても、照明手段２０を点灯させないようにすることができる。これにより、不要な電力の消費を防止することができる。
【００６７】
なお、上記実施の形態１〜４の構成において、内釜４の内面に、米量に見合った水量を示す水位線や文字を描く場合、蛍光塗料を用いるようにしても良い。これにより、照明手段２０の照明により、水位線や文字をより見やすくすることが可能となる。
【符号の説明】
【００６８】
１  炊飯器本体、１ａ  側面ケース、１ｂ  下ケース、２  内遮熱板、３  胴ヒータ、４  内釜、４ａ  フランジ、５  コイル台、６  加熱手段、９  制御基板、１０  コードリール、１１  操作基板、１２  操作部、１２ａ  表示手段、１３  蓋体、１４  ヒンジ部、１５  上蓋、１６  下蓋、１６ａ  折曲部、１６ｂ  係止部、１６ｃ  嵌合凹部、１７  おねば容器、１８  内蓋、１８ａ  蓋パッキン、２０  照明手段、２４  蓋体開閉検知手段、２４ｂ  押下部、３０  制御手段、３１  照度検知手段、３２  計時手段。
【図１】
2011000314.tif 000003
【図２】
2011000314.tif 000004
【図３】
2011000314.tif 000005
【図４】
2011000314.tif 000006
【図５】
2011000314.tif 000007
【図６】
2011000314.tif 000008
【図７】
2011000314.tif 000009
【図８】
2011000314.tif 000010
【図９】
2011000314.tif 000011